(57)【特許請求の範囲】
【請求項１】
素材送出部から送出される複数の放送素材データの中から任意の放送素材データを選択的に記録する放送素材サーバと、
この放送素材サーバの記録制御を行うとともに、制御回線を介して接続される周辺機器への制御を行う演算処理部と、
この演算処理部の動作を遠隔制御し、前記複数の放送素材データを表す情報を表示器に表示するための表示制御情報を保持する端末とを具備し、
前記演算処理部は、
前記放送素材サーバに対する前記放送素材データの記録に必要な記録制御情報を記憶する記憶手段と、
前記放送素材サーバに対する前記放送素材データの記録要求発生時に、前記端末から前記表示制御情報を取得する取得手段と、
前記記録制御情報及び前記表示制御情報を前記素材送出部に送出する送信手段とを備え、
前記素材送出部は、
表示器と、
前記演算処理部から送られてくる前記表示制御情報に基づいて、前記複数の放送素材データを表す表示データを作成して前記表示器に表示する表示制御手段と、
前記表示器に表示される複数の放送素材データのうち任意の放送素材データの選択指示情報及び前記演算処理部から送られる記録制御情報に基づいて、任意の放送素材データを前記放送素材サーバに記録する記録制御手段とを備えたことを特徴とする放送素材サーバシステム。
【請求項２】
前記複数の放送素材データは、一定時間長のコマーシャル素材データであることを特徴とする請求項１記載の放送素材サーバシステム。
【請求項３】
前記端末は、汎用のコンピュータからなるポートコントローラであることを特徴とする請求項１記載の放送素材サーバシステム。
【発明の詳細な説明】
【技術分野】
【０００１】
この発明は、例えばＣＭ（コマーシャル）素材データといった放送素材データを放送素材サーバに記録する制御ＣＰＵ（Central Processing Unit）に対し操作端末を用いて、記録制御を行う機能を備えた放送素材サーバシステムに関する。
【背景技術】
【０００２】
周知のように、例えばＴＶ放送やラジオ放送のＣＭ素材を送出するＣＭ送出システムにあっては、ＣＭ素材を記録し、任意のタイミングでＣＭ素材を再生するビデオサーバが使用されている（例えば、特許文献１）。
【０００３】
ところで、上記ＣＭ送出システムにあっては、上位システムから送出される複数のＣＭ素材データを制御ＣＰＵがデータベースにいったん保持し、操作端末によりデータベースに保持された複数のＣＭ素材データを表示し、選択指示入力が行われた後にデータベースから任意のＣＭ素材データをビデオサーバに記録する手法が用いられる。
【特許文献１】特開平１１−２７５４９５号公報。
【発明の開示】
【発明が解決しようとする課題】
【０００４】
しかしながら、上記ＣＭ送出システムでは、制御ＣＰＵによる処理と、操作端末による処理が多く、制御ＣＰＵ及び操作端末に高い性能が要求されていた。
【０００５】
また、上記ＣＭ送出システムでは、上記制御ＣＰＵ及び上記操作端末それぞれのソフトウェア構成が装置の機種ごとに専用化されている。このため、システムを開発する際にはその都度装置固有のソフトウェアを開発しなければならない。また、周辺機器やインタフェース部等についても専用のソフトウェアを開発しなければならず、システムのバージョンアップ等の要求に容易に対応できない。
【０００６】
そこで、この発明の目的は、制御ＣＰＵ及び操作端末の処理負担を低減して、より効率的に放送素材データの記録を行うことができ、しかも新たなシステムにも容易に適用可能な放送素材サーバシステムを提供することにある。
【課題を解決するための手段】
【０００７】
この発明は、上記目的を達成するために、以下のように構成される。  
素材送出部から送出される複数の放送素材データの中から任意の放送素材データを選択的に放送素材サーバに記録する演算処理部と、複数の放送素材データを表す情報を第１の表示器に表示させるための表示データを作成し、第１の表示器に表示された複数の放送素材データのうち任意の放送素材データの選択指示入力に応じて演算処理部の動作を制御する記録制御部を有した端末とを備えた放送素材サーバシステムを対象にしている。
【０００８】
そして、演算処理部は、放送素材サーバに対する放送素材データの記録に必要な記録制御情報を記憶する記憶手段と、放送素材サーバに対する放送素材データの記録要求発生時に、端末から表示データの作成に必要な表示制御情報を取得する取得手段と、記録制御情報及び表示制御情報を素材送出部に送出する送信手段とを備え、素材送出部は、第２の表示器と、演算処理部から送られてくる表示制御情報に基づいて、複数の放送素材データを表す表示データを作成して第２の表示器に表示する表示制御手段と、第２の表示器に表示される複数の放送素材データのうち任意の放送素材データの選択指示情報及び演算処理部から送られる記録制御情報に基づいて、任意の放送素材データを放送素材サーバに記録する記録制御手段とを備えるようにしたものである。
【０００９】
この構成によれば、素材送出部に表示器を設けるようにし、表示器に表示すべく表示データの作成に必要な表示制御情報は演算処理部により端末から取得され、放送素材サーバへの記録処理に必要な記録制御情報とともに素材送出部に転送される。そして、素材送出部は表示制御情報及び記録制御情報に基づいて、放送素材データの選択から放送素材サーバへの記録までの処理を行えるようになる。すなわち、演算処理部における放送素材サーバの記録制御機能と端末における放送素材データ選択機能とを素材送出部に持たせることが可能となる。
【００１０】
従って、演算処理部の処理量及び端末の処理量が軽減され、その負担低減により汎用の演算処理部及び端末により放送素材サーバへの記録制御を行うことができる。また、周辺機器や種々インタフェース等は、汎用の演算処理部及び端末に接続すればよいので汎用のものを使用することができ、これにより専用の制御ソフトウェアの新規開発が不要となり、新たなシステムに対し容易に対応することができる。
【００１１】
端末は、記録制御部のみを有したポートコントローラであることを特徴とする。このようにすることで、低コストの端末を利用することができる。
【発明の効果】
【００１２】
以上詳述したようにこの発明によれば、制御ＣＰＵ及び操作端末の処理負担を低減して、より効率的に放送素材データの記録を行うことができ、しかも新たなシステムにも容易に適用可能な放送素材サーバシステムを提供することができる。
【発明を実施するための最良の形態】
【００１３】
以下、この発明の実施形態について図面を参照して詳細に説明する。  
図１は、この発明の一実施形態に係わるＣＭサーバシステムの概略構成を示すブロック図である。図１において、図中符号１１はＣＭサーバで、上位システム１２から送られてくるＣＭ素材データを、制御ＣＰＵ１３の制御の下で図示しないメモリに記録する。
【００１４】
これらＣＭサーバ１１、上位システム１２及び制御ＣＰＵ１３は、制御ＬＡＮ１４により相互に接続されている。また、制御ＬＡＮ１４には、ポートコントローラ１５が接続されている。ポートコントローラ１５は、制御ＣＰＵ１３の動作を遠隔制御する操作端末から表示器を削除し、記録制御機能のみを備えたものである。このポートコントローラ１５は、制御ＣＰＵ１３と通信する通信電文により制御ＬＡＮ１４に接続される周辺機器への制御を行う。
【００１５】
このポートコントローラ１５は、さらに制御ＬＡＮ１６を介してＣＭサーバ１１及び制御ＣＰＵ１３に接続されている。また、ＣＭサーバ１１及び制御ＣＰＵ１３は、制御ＬＡＮ１７により相互に接続されている。さらに、上位システム１２には、汎用のパーソナル・コンピュータ１８が接続されている。
【００１６】
ところで、この実施形態では、制御ＣＰＵ１３にデータベース１３１を設けている。このデータベース１３１には、ＣＭサーバ１１に対するＣＭ素材データの記録に必要な最低限の記録制御データが記憶されている。さらに、制御ＣＰＵ１３は、表示制御データ取得機能と、制御データ送出機能とを備えている。
【００１７】
表示制御データ取得機能は、上位システム１２のパーソナル・コンピュータ１８からＣＭ素材データの記録要求が到来したとき、制御ＬＡＮ１６を介してポートコントローラ１５と通信を行なうことにより、ポートコントローラ１５からＣＭ素材データの表示に必要な表示制御データを取得する。
【００１８】
制御データ送出機能は、上位システム１２のパーソナル・コンピュータ１８に対し、表示制御データ及びデータベース１３１中の記録制御データを制御ＬＡＮ１４を介して送出する。
【００１９】
また、パーソナル・コンピュータ１８は、表示制御機能と、記録制御機能とを備えている。表示制御機能は、制御ＣＰＵ１３から送られてくる表示制御データに基づいて、複数のＣＭ素材データを表す表示データを作成して表示器１８１に表示する。
【００２０】
記録制御機能は、表示器１８１に表示される複数のＣＭ素材データのうち任意のＣＭ素材データの選択指示情報及び制御ＣＰＵ１３から送られる記録制御データに基づいて、ＣＭサーバ１１との間で逐次通信を行なって任意のＣＭ素材データのＣＭサーバ１１への記録を行なう。
【００２１】
次に、上記構成における動作について説明する。図２は、上記パーソナル・コンピュータ１８の処理手順を示すフローチャートである。  
ＣＭサーバ１１に対しＣＭ素材データの記録を行なう場合にユーザは、パーソナル・コンピュータ１８を使用して記録要求操作を行なったとする。そうすると、パーソナル・コンピュータ１８は記録要求を制御ＬＡＮ１４経由で制御ＣＰＵ１３に送信する（ステップＳＴ２ａ）。
【００２２】
そして、制御ＣＰＵ１３は、ポートコントローラ１５との間で通信を行なって、ポートコントローラ１５から表示制御データを取得し、この表示制御データ及びデータベース１３１中の記録制御データを要求元のパーソナル・コンピュータ１８へ送出する。この動作の中で、制御ＣＰＵ１３及びポートコントローラ１５が処理を実行するのは、表示制御データをポートコントローラ１５から取得するときと、表示制御データ及び記録制御データをパーソナル・コンピュータ１８へ送出するときである。それ以外の時間は周辺機器との通信処理などに充てることができる。従って、制御ＣＰＵ１３及びポートコントローラ１５に汎用のコンピュータを使用できる。
【００２３】
パーソナル・コンピュータ１８は、制御ＣＰＵ１３から表示制御データ及び記録制御データを取得すると（ステップＳＴ２ｂ）、図３に示すように、表示制御データに基づいて上位システム１２に保持されているＣＭ素材リストの表示データを作成し表示器１８１に表示する（ステップＳＴ２ｃ）。
【００２４】
そして、この状態でユーザが記録を希望するＣＭ素材データを入力部１８２により選択指定すると、パーソナル・コンピュータ１８はステップＳＴ２ｄからステップＳＴ２ｅに移行して、ここで記録制御データに基づきＣＭサーバ１１との間で通信を行なって上記選択指定されたＣＭ素材データをＣＭサーバ１１に記録する。
【００２５】
なお、上記ステップＳＴ２ｄにおいて、ユーザがＣＭ素材データの記録を一時的に停止する場合のように、ユーザが選択指示を入力しなかった場合には、処理を終了する。
【００２６】
以上のように上記実施形態では、制御ＣＰＵ１３にて、上位システム１２のパーソナル・コンピュータ１８の表示器１８１にＣＭ素材リストを表示するための表示制御データをポートコントローラ１５から取得し、この表示制御データとデータベース１３１中の記録制御データをパーソナル・コンピュータ１８へ送信し、パーソナル・コンピュータ１８により、表示制御データ及び記録制御データに基づいて、放送素材データの選択からＣＭサーバ１１へのＣＭ素材データの記録までの処理を実行するようにしている。
【００２７】
従って、制御ＣＰＵ１３におけるＣＭサーバ１１の記録制御機能とポートコントローラ１５におけるＣＭ素材データ表示機能とを上位システム１２のパーソナル・コンピュータ１８に持たせることが可能となり、これにより制御ＣＰＵ１３の処理量及びポートコントローラ１５の処理量が軽減され、その負担低減により汎用の制御ＣＰＵ１３及びポートコントローラ１５によりＣＭサーバ１１への記録制御を行うことができる。このため、上位システム１２のパーソナル・コンピュータ１８でＣＭ素材の参照、ファイリング操作が可能となる。
【００２８】
また、周辺機器や種々インタフェース等は、制御ＣＰＵ１３及びポートコントローラ１５に接続すればよいので汎用のものを使用することができ、これにより専用の制御ソフトウェアの新規開発がほとんど不要となり、新たなシステムに対し容易に対応することができる。
【００２９】
また、上記実施形態では、ＣＭ素材を取り扱う例について説明したが、例えば放送番組等を取り扱うようにしてもよい。
【００３０】
さらに、上記実施形態では、ポートコントローラ１５に記録制御部のみを設けているが、表示器を有する汎用のパーソナル・コンピュータであってもよい。
【００３１】
その他、システム構成、ＣＭ素材をＣＭサーバに記録する際のパーソナル・コンピュータの制御手順とその内容等についても、この発明の要旨を逸脱しない範囲で種々変形して実施できる。
【図面の簡単な説明】
【００３２】
【図１】この発明の一実施形態に係わるＣＭサーバシステムの概略構成を示すブロック図。
【図２】上記図１に示したパーソナル・コンピュータの制御処理手順を示すフローチャート。
【図３】同実施形態において、パーソナル・コンピュータへのＣＭ素材リストの表示例を示す図。
【符号の説明】
【００３３】
１１…ＣＭサーバ、１２…上位システム、１３…制御ＣＰＵ、１４，１６、１７…制御ＬＡＮ、１５…ポートコントローラ、１８…パーソナル・コンピュータ、１３１…データベース、１８１…表示器、１８２…入力部。
【図１】
0004455460.tif 000002
【図２】
0004455460.tif 000003
【図３】
0004455460.tif 000004